(57)【要約】【課題】管理対象の増加を招くことなく、仮想リモコンの操作ボタンを仕向け先の特性に適切に合わせることができる情報処理装置を提供する。【解決手段】制御部１１は、複数の仕向け先と仮想リモコンの操作ボタンの特性との対応データから、車載機器１の仕向け先に対応する操作ボタンの特性を取得する。画像処理部１３は、制御部１１により取得された操作ボタンの特性に応じてタッチスクリーン１９に操作ボタンを表示させる。【選択図】図１
2016206984.tif 000002
【特許請求の範囲】
【請求項１】
複数の仕向け先とタッチスクリーンに表示されて情報処理装置に対する操作を受け付ける仮想リモートコントローラの操作ボタンの特性との対応データから、情報処理装置の仕向け先に対応する前記操作ボタンの特性を取得する取得部と、
前記取得部により取得された前記操作ボタンの特性に応じて、前記タッチスクリーンに前記操作ボタンを表示させる画像処理部と
を備えたことを特徴とする情報処理装置。
【請求項２】
前記操作ボタンは、互いに異なる色で配列され、色ごとの操作が割り当てられたカラーキーであることを特徴とする請求項１記載の情報処理装置。
【請求項３】
前記操作ボタンの特性は、前記カラーキーの色ごとの配列位置であることを特徴とする請求項２記載の情報処理装置。
【発明の詳細な説明】
【技術分野】
【０００１】
この発明は、リモートコントローラ（以下、リモコンと記載する）を用いた遠隔操作が可能な情報処理装置に関する。
【背景技術】
【０００２】
近年、カーナビゲーション装置、カーオーディオなどの車載用の情報処理装置においても、リモコンを用いた遠隔操作が可能なものが普及している。
なお、車室内は比較的狭い空間であるので、情報処理装置が備えるタッチスクリーンは乗員の近くに配置されている場合が多い。このため、タッチ操作でリモコン操作が可能な仮想リモコンをタッチスクリーンに表示することで、操作性の向上を図った情報処理装置も実現されている（例えば、特許文献１参照）。
【０００３】
また、リモコンには、赤、緑、青、黄にそれぞれ色分けされたカラーキーと呼ばれる、４つの特殊なボタンが配置されている。これらのカラーキーには、リモコン操作における特定の操作が割り当てられる。例えば、情報処理装置がデジタル放送受信機である場合、カラーキーは、データ放送の操作専用キーであり、カラーキーを用いてデータ操作を行うことができる。ＢＤ（Ｂｌｕ−ｒａｙ；登録商標、以下記載を省略する）プレイヤでは、シーン検索などの操作がカラーキーに割り当てられている。
【先行技術文献】
【特許文献】
【０００４】
【特許文献１】特開２００６−９４２１０号公報
【発明の概要】
【発明が解決しようとする課題】
【０００５】
カラーキーの配列には地域ごとの規格があり、規格が異なる地域では、赤、緑、青、黄の配列が異なる。このため、仮想リモコンで操作可能な情報処理装置が異なる地域で購入された場合、それまで使用していたリモコンと仮想リモコンのカラーキーの配列が異なる事態が発生する。この場合、仮想リモコンで使い慣れたカラーキーの操作ができず利便性が悪かった。
【０００６】
そこで、従来では、仮想リモコンにおけるカラーキーの配列を製品の仕向け先の規格に合わせるソフトウェアを、上記規格が異なる地域ごとに用意して製品に実装していた。
このため、製品販売において、上記地域ごとのソフトウェアとこれを実装する製品とを管理する必要が生じ、管理対象が増加して管理が繁雑化するという課題があった。
【０００７】
この発明は上記の課題を解決するもので、管理対象の増加を招くことなく、仮想リモコンの操作ボタンを仕向け先に対応した特性に適切に合わせることができる情報処理装置を得ることを目的とする。
【課題を解決するための手段】
【０００８】
この発明に係る情報処理装置は、取得部および画像処理部を備える。
取得部は、複数の仕向け先とタッチスクリーンに表示されて情報処理装置に対する操作を受け付ける仮想リモコンの操作ボタンの特性との対応データから、情報処理装置の仕向け先に対応する操作ボタンの特性を取得する。
画像処理部は、取得部により取得された操作ボタンの特性に応じて、タッチスクリーンに操作ボタンを表示させる。
【発明の効果】
【０００９】
この発明によれば、予め複数の仕向け先に対応する仮想リモコンの操作ボタンの特性が設定された対応データを用いて、情報処理装置の仕向け先に対応する操作ボタンの特性を取得する。従って、仕向け先の規格に合った特性で操作ボタンを表示させるソフトウェアを仕向け先ごとに用意する必要がなく、管理対象の増加を防止することができる。
また、対応データから取得された操作ボタンの特性で仮想リモコンが表示されるので、仮想リモコンの操作ボタンを仕向け先に対応した特性に適切に合わせることができる。
【図面の簡単な説明】
【００１０】
【図１】この発明の実施の形態１に係る車載機器の構成を示すブロック図である。
【図２】実施の形態１に係る車載機器の動作を示すフローチャートである。
【図３】実施の形態１における仮想リモコンの表示例を示す図である。図３（ａ）は、仮想リモコンを表示する前のコンテンツ映像の画面、図３（ｂ）は、仮想リモコンをコンテンツ映像に表示した画面、図３（ｃ）は、カラーキー画像をコンテンツ映像に表示した画面を示している。
【発明を実施するための形態】
【００１１】
実施の形態１．
図１は、この発明の実施の形態１に係る車載機器１の構成を示すブロック図である。
車載機器１は、この発明に係る情報処理装置を具体化したものであり、仮想リモコンで操作することが可能である。図１では、車載機器１が、ＢＤなどのコンテンツディスクｄに記録されたコンテンツを再生するディスクプレイヤである場合を示している。
【００１２】
また、仮想リモコンは、ハードウェアである通常のリモコンをソフトウェアで模擬したリモコンであり、通常のリモコンと同様の操作ボタンをタッチスクリーン１９に表示して車載機器１に対する操作を受け付ける。
なお、リモコンのカラーキーの配列は、前述したように地域ごとの規格があり、規格が異なる地域では、赤、緑、青、黄の配列が異なる。例えば、日本では青、赤、緑、黄の順で配列されるが、北米においては赤、緑、青、黄の順であり、欧州では赤、緑、黄、青となっている。これらのカラーキーの色とこれに対応する操作は予め割り当てられている。
【００１３】
例えば、日本で生産された車載機器１の仕向け先が北米であり、仕向け先のユーザが、車載機器１の仮想リモコンにおける赤色のカラーキーを操作しようとした場合を考える。
この場合、仕向け先である北米のユーザは、使い慣れたリモコンと同様に左端のボタンを押そうとする。しかしながら、車載機器１の仮想リモコンの左端には青色のカラーキーが配置されているので、誤操作するか、赤色のカラーキーを探すことになり不便である。
本発明は、このような不具合を解決するものであり、以下、仮想リモコンの操作ボタンとしてカラーキーを例に挙げて説明する。
【００１４】
車載機器１は、車載バッテリ２を有する車両に搭載されており、スイッチ３でシステム電源が投入されると、車両管理装置４から車内ネットワーク５を介して伝送される車両情報を入力する。なお、車両情報には、車載機器１の仕向け先、すなわち車載機器１を搭載する車両の仕向け先情報が含まれている。
【００１５】
車載機器１の構成は、図１に示すように、ディスクドライブ部１０、制御部１１、記憶部１２、画像処理部１３、定電圧回路１４、定電圧回路１５およびタッチスクリーン制御部１８を備える。ディスクドライブ部１０は、コンテンツディスクｄを回転させて、これに記録されたコンテンツデータを読み出す。
【００１６】
制御部１１は、この発明における取得部を具体化した構成要素であり、複数の仕向け先と仮想リモコンのカラーキーの特性の対応データから、車載機器１の仕向け先に対応するカラーキーの特性を取得する。
例えば、制御部１１は、車両管理装置４から上記車両情報を入力すると、記憶部１２に予め記憶された上記対応データを読み出す。そして、制御部１１は、車両情報に含まれる車載機器１の仕向け先と対応データとを照合して車載機器１の仕向け先に対応するカラーキーの特性を取得する。
【００１７】
対応データは、複数の仕向け先と仮想リモコンの操作ボタンの特性との対応関係を示すデータである。操作ボタンには、車載機器１に対する複数種類の操作から予め決められた操作が割り当てられており、操作ボタンの特性には、割り当てられた操作、操作ボタンの表示態様、表示位置などが含まれる。ここでは、操作ボタンが、互いに異なる４色で配列され、色ごとの操作が割り当てられたカラーキーである。カラーキーの特性は、カラーキーの色ごとの配列位置である。すなわち、対応データには、仕向け先ごとの規格に合ったカラーキーの特性が登録されている。
【００１８】
画像処理部１３は、コンテンツディスクｄから読み出されたコンテンツデータの画像を処理する構成要素である。また、この発明における画像処理部１３は、制御部１１により取得されたカラーキーの特性に応じてタッチスクリーン１９にカラーキーを表示させる。
また、画像処理部１３は、映像デコード部１３０、リモコン画像生成部１３１および合成部１３２を備えて構成される。
【００１９】
映像デコード部１３０は、ディスクドライブ部１０によってコンテンツディスクｄから読み出されたコンテンツデータのビデオ信号をデコードする。この処理によって、ビデオ信号の映像データが生成される。
リモコン画像生成部１３１は、仮想リモコンとなる画像データであるリモコン画像を生成する構成要素である。特に、車載機器１のシステム電源が投入されたとき、制御部１１から入力したカラーキーの特性に応じたカラーキー画像を生成する。
合成部１３２は、映像デコード部１３０により得られた映像データとリモコン画像生成部１３１が生成したリモコン画像とを合成する。この合成データにより、仮想リモコンが重畳されたコンテンツの映像がモニタ１６に表示される。
【００２０】
定電圧回路１４は、スイッチ３がオフの状態であっても、制御部１１および記憶部１２に電力を供給する電源回路である。例えば、定電圧回路１４は、制御部１１の動作および記憶部１２が記憶情報を保持するために必要な分の電力を供給すればよい。
定電圧回路１５は、スイッチ３がオンの状態になったときに、制御部１１および記憶部１２に電力を供給する電源回路である。すなわち、定電圧回路１５は、車載機器１のシステム電源である。
【００２１】
モニタ１６は、車載機器１に接続された表示装置であり、例えば、液晶ディスプレイが使用される。また、タッチパネル１７は、タッチ操作を受け付ける入力装置であり、モニタ１６の画面上に搭載される。
タッチスクリーン制御部１８は、タッチパネル１７のタッチ面でタッチ操作された位置および操作内容を判定して制御部１１に伝える。タッチ操作には、単なる押下操作の他、タッチ面上で操作物をスライドさせるような操作も含まれる。
タッチスクリーン１９は、モニタ１６とタッチパネル１７から構成される。
【００２２】
なお、車載機器１の構成要素のうち、制御部１１および画像処理部１３は、プロセッサがメモリに記憶されたプログラムを実行することにより、実現される。
また、複数のプロセッサおよび複数のメモリが連携して上記機能を実行してもよい。
記憶部１２は、上記メモリに構築されていてもよい。
【００２３】
次に動作について説明する。
図２は、実施の形態１に係る車載機器１の動作を示すフローチャートであって、タッチスクリーン１９に仮想リモコンを表示する処理について示している。
まず、定電圧回路１４は、スイッチ３がオフの状態であっても、制御部１１および記憶部１２に電力を供給している（ステップＳＴ１）。
この状態において、制御部１１は、スイッチ３がオンされて、システム起動用の定電圧回路１５がオン状態になったか否かを確認している（ステップＳＴ２）。定電圧回路１５がオン状態でない場合（ステップＳＴ２；ＮＯ）、ステップＳＴ２の処理を繰り返す。
【００２４】
定電圧回路１５がオンになった場合（ステップＳＴ２；ＹＥＳ）、制御部１１は、車内ネットワーク５を介して車両管理装置４から車両情報を取得する（ステップＳＴ３）。
次に、制御部１１は、車両情報を解析して車載機器１の仕向け先を特定する。
仕向け先が北米である場合（ステップＳＴ４；ＹＥＳ）、制御部１１は、記憶部１２に記憶される上記対応データを参照して、北米に対応するカラーキーの配列情報を取得する（ステップＳＴ５）。北米に対応するカラーキーの配列情報は、制御部１１からリモコン画像生成部１３１に出力される。
リモコン画像生成部１３１は、制御部１１から入力した、北米に対応するカラーキーの配列情報に基づいて、カラーキーの配列を赤、緑、青、黄の順に決定する（ステップＳＴ６）。
【００２５】
仕向け先が北米ではなく（ステップＳＴ４；ＮＯ）、欧州である場合（ステップＳＴ７；ＹＥＳ）、制御部１１は、対応データを参照して欧州に対応するカラーキーの配列情報を取得する（ステップＳＴ８）。欧州に対応するカラーキーの配列情報は、制御部１１からリモコン画像生成部１３１に出力される。
リモコン画像生成部１３１は、制御部１１から入力した、欧州に対応するカラーキーの配列情報に基づいて、カラーキーの配列を赤、緑、黄、青の順に決定する（ステップＳＴ９）。
【００２６】
仕向け先が欧州ではなく（ステップＳＴ７；ＮＯ）、日本の場合（ステップＳＴ１０；ＹＥＳ）、制御部１１は、対応データを参照して日本に対応するカラーキーの配列情報を取得する（ステップＳＴ１１）。日本に対応するカラーキーの配列情報は制御部１１からリモコン画像生成部１３１に出力される。
リモコン画像生成部１３１は、制御部１１から入力した、日本に対応するカラーキーの配列情報に基づいて、カラーキーの配列を青、赤、緑、黄の順に決定する（ステップＳＴ１２）。なお、図２示す例では、仕向け先が北米、欧州、日本のいずれでもない場合（ステップＳＴ１０；ＮＯ）、北米の仕様にする設定であるので、ステップＳＴ５に移行して北米に対応する処理を行う。
【００２７】
前述のようにしてカラーキーの配列を決定すると、リモコン画像生成部１３１は、決定した配列で並ぶカラーキーが描画されたリモコン画像を生成する（ステップＳＴ１３）。
リモコン画像生成部１３１によって生成されたリモコン画像は、コンテンツ映像に重畳されてタッチスクリーン１９に表示される。
【００２８】
次に、ディスクプレイヤである車載機器１において、ユーザがコンテンツ映像を視聴中に仮想リモコンをタッチスクリーン１９に表示させる場合について説明する。
図３は、実施の形態１における仮想リモコンの表示例を示す図である。図３（ａ）は、仮想リモコンを表示する前のコンテンツ映像１３０Ａの画面１６Ａ、図３（ｂ）は、仮想リモコン１３１Ａをコンテンツ映像１３０Ａに表示した画面１６Ａである。また、図３（ｃ）は、カラーキー画像１３１Ｃをコンテンツ映像１３０Ａに表示した画面１６Ａを示している。
【００２９】
ユーザＡは、コンテンツ映像１３０Ａである映画を視聴中に、この映画のシーン検索を行う場合、例えば、図３（ａ）に示すようにタッチスクリーン１９を押下する。
タッチスクリーン制御部１８は、この押下操作を制御部１１に通知する。これにより、制御部１１は、画像処理部１３に対して仮想リモコン１３１Ａをタッチスクリーン１９に表示させるよう指示する。
【００３０】
リモコン画像生成部１３１は、制御部１１からの指示に従い、仮想リモコン１３１Ａの画像を生成し、合成部１３２に出力する。
合成部１３２は、映像デコード部１３０からのコンテンツ映像１３０Ａとリモコン画像生成部１３１が生成した仮想リモコン１３１Ａとを合成して、図３（ｂ）に示すように、画面１６Ａに表示する。
【００３１】
一方、リモコン画像生成部１３１は、システム電源が投入されたときに、車載機器１の仕向け先に対応したカラーキー配列情報を制御部１１から入力しており、これに応じたカラーキー画像１３１Ｃを生成している。
図３（ｂ）に示すページボタン１３１ＢがユーザＡに押下されると、タッチスクリーン制御部１８は、この押下操作を制御部１１に通知する。
この通知に応じて、制御部１１は、画像処理部１３に対してカラーキー画像１３１Ｃをタッチスクリーン１９に表示させるよう指示する。
【００３２】
リモコン画像生成部１３１は、制御部１１からの指示に従い、カラーキー画像１３１Ｃを合成部１３２に出力する。
合成部１３２は、映像デコード部１３０からのコンテンツ映像１３０Ａとリモコン画像生成部１３１からのカラーキー画像１３１Ｃとを合成して、図３（ｃ）に示すように、画面１６Ａに表示する。
【００３３】
このようにして、仕向け先に適切なカラーキー配置、日本向けであれば左から青、赤、緑、黄にカラーキーが配置された仮想リモコンがモニタ１６に描画される。
この場合、ユーザは、仮想リモコンのカラーキーが家庭用リモコンと同様に配列されているので、操作するときに混乱することがない。
【００３４】
なお、これまで車載機器１がＢＤなどのディスクプレイヤである場合を示したが、地上デジタル放送受信機などであってもよい。
すなわち、カラーキーを有するリモコンで遠隔操作される情報処理装置であれば、この他の電子機器であってもよい。
【００３５】
以上のように、実施の形態１に係る車載機器１は、制御部１１および画像処理部１３を備えて構成される。制御部１１は、複数の仕向け先と仮想リモコンの操作ボタンの特性との対応データから、車載機器１の仕向け先に対応する操作ボタンの特性を取得する。画像処理部１３は、制御部１１により取得された操作ボタンの特性に応じてタッチスクリーン１９に操作ボタンを表示させる。ここで、操作ボタンは、互いに異なる色で配列され、色ごとの操作が割り当てられたカラーキーである。また、操作ボタンの特性は、カラーキーの色ごとの配列位置である。
このように構成することで、予め複数の仕向け先に対応する仮想リモコンのカラーキーの特性が設定された対応データを用いて車載機器１の仕向け先に対応するカラーキーの特性を取得する。従って、仕向け先の規格に合った特性でカラーキーを表示させるソフトウェアを仕向け先ごとに用意する必要がなく、管理対象の増加を防止することができる。
また、対応データから取得されたカラーキーの特性で仮想リモコンが表示されるので、仮想リモコンのカラーキーを仕向け先に対応した特性に適切に合わせることができる。
すなわち、仕向け先に対応した配列のカラーキーがタッチスクリーン１９に表示され、仕向け先のユーザは使い慣れた配列のカラーキーで操作することができる。
【００３６】
実施の形態１の説明では、仮想リモコンの操作ボタンがカラーキーである場合を示したが、これに限定されるものではない。仕向け先ごとに異なる特性が設定される操作ボタンであれば、本発明を適用することができる。操作ボタンの特性は、割り当てられた操作、操作ボタンの表示態様、表示位置などが含まれる。
【００３７】
なお、本発明はその発明の範囲内において、実施の形態の任意の構成要素の変形、もしくは実施の形態の任意の構成要素の省略が可能である。
【符号の説明】
【００３８】
１  車載機器、２  車載バッテリ、３  スイッチ、４  車両管理装置、５  車内ネットワーク、１０  ディスクドライブ部、１１  制御部、１２  記憶部、１３  画像処理部、１４  定電圧回路、１５  定電圧回路、１６  モニタ、１６Ａ  画面、１７  タッチパネル、１８  タッチスクリーン制御部、１９  タッチスクリーン、１３０  映像デコード部、１３０Ａ  コンテンツ映像、１３１  リモコン画像生成部、１３１Ａ  仮想リモコン、１３１Ｂ  ページボタン、１３１Ｃ  カラーキー画像、１３２  合成部。
【図１】
2016206984.tif 000003
【図２】
2016206984.tif 000004
【図３】
2016206984.tif 000005